(57)【要約】【課題】  記録紙が巻取り軸のスライダに直接巻かれているので、紙質により抜取り難い。【解決手段】  長尺な記録紙４を巻き取る巻取り軸２１を有する記録媒体巻取り装置２０で、巻取り軸２１は、記録紙４を巻き取る際に、巻取り軸２１の一部として作用し、記録紙４を支持して巻き取る第１の位置Ｐ１と、記録紙４を支持しないで巻取り軸２１から記録紙４を抜き取ることを容易にする第２の位置Ｐ２との間を移動自在な記録媒体可動受け部２１ａを有する。記録媒体可動受け部２１ａは、第１の位置Ｐ１から第２の位置Ｐ２へ移動する際に、巻取り軸２１に直交する方向にのみ移動する。第２の位置Ｐ２で記録媒体可動受け部２１ａが傾斜することにより記録紙４との間に隙間ｔが生じる。この状態で記録紙４を容易に抜き取ることができる。記録紙４が巻取り軸２１の係合部材に直接巻かれていないので、記録紙の紙質に影響を受けることはない。【選択図】    図６
2005343649.tif 000002
【特許請求の範囲】
【請求項１】
長尺な記録媒体を巻き取る巻取り軸を有する記録媒体巻取り装置において、前記巻取り軸は、前記記録媒体を巻き取る際に、前記巻取り軸の一部として作用することで、前記記録媒体を支持して巻き取る第１の位置と、前記記録媒体を支持しないで前記巻取り軸から前記記録媒体を抜き取ることを容易にする第２の位置との間を移動自在な記録媒体可動受け部を有し、該記録媒体可動受け部は、前記第１の位置から前記第２の位置へ移動する際に、前記巻取り軸に直交する方向にのみ移動することを特徴とする記録媒体巻取り装置。
【請求項２】
前記巻取り軸は、前記記録媒体可動受け部と、前記巻取り軸に固定され前記記録媒体を巻き取る記録媒体固定受け部とで構成され、前記記録媒体可動受け部と前記記録媒体固定受け部との間に、前記記録媒体を挿入する隙間を設けて配置したことを特徴とする請求項１に記載の記録媒体巻取り装置。
【請求項３】
前記記録媒体可動受け部と係合し、前記巻取り軸の軸方向であって巻取り軸から離れる離間方向と反対の方向に付勢され、前記記録媒体可動受け部が前記第１の位置から第２の位置へ移動したときに、前記離間方向ヘ移動自在な係合部材を備えたことを特徴とする請求項１または２に記載の記録媒体巻取り装置。
【請求項４】
前記記録媒体可動受け部は、前記係合部材に形成された斜面に係合することを特徴とする請求項３に記載の記録媒体巻取り装置。
【請求項５】
前記係合部材は、前記巻取り軸内に挿嵌することを特徴とする請求項３または４に記載の記録媒体巻取り装置。
【請求項６】
前記巻取り軸は、その一端に前記記録媒体の側面を当接させる円板状のフランジを一体的に固定したことを特徴とする請求項１〜５のいずれか１項に記載の記録媒体巻取り装置。
【請求項７】
前記請求項１乃至６のいずれか１項に記載の記録媒体巻取り装置と、前記記録媒体に印刷を行う印刷手段と、前記印刷手段により印刷された前記記録媒体を送る記録媒体送り手段とを備えたことを特徴とするプリンタ。
【発明の詳細な説明】
【技術分野】
【０００１】
本発明は、長尺の記録媒体を巻き取る記録媒体巻取り装置とこれを用いたプリンタに関するものである。
【背景技術】
【０００２】
従来より、店舗などにおける売上や在庫管理を目的として、日時、商品名、販売価格等が印字された記録紙をレシートとして顧客に渡すと同時に、複写された記録紙を保管することが要求されており、そのための手段として、印字された記録紙を巻取り軸に巻き取るように構成したプリンタが提案されている。（例えば、特許文献１参照）
【０００３】
【特許文献１】実開昭６３−１２６３５５号公報（第５〜８頁、図１）  上記した特許文献１に開示されているロール紙巻取り装置の構造は、以下の通りである。テーパ形状の斜面（１ａ）を備えたリール（１）は、その基部でフランジ（２）に固定され、中央部に軸方向へスリット（４）が形成されている。リール（１）の斜面（１ａ）の勾配と同一勾配でテーパ形状の斜面（５ａ）が形成されたスライダ（５）がリール（１）の斜面（１ａ）に接触するように配設されている。このスライダ（５）は、断面が半円状であり、フランジ（２）側の基部から先端部（フランジ２と反対側）への肉厚形状となっている。スライダ（５）には斜面（５ａ）に臨み且つ軸方向へ長い溝（６）と、外周面に臨み且つその軸方向に長い溝（７）とが形成されている。これらの溝（６）、（７）は連通している。ロール紙ＲＰは、スライダ（５）の外周面に巻かれるように構成されている。リール斜面（１ａ）の略中央には頭（６ａ）を有する２つのピン（８）が立設されている。これらのピン（８）は、溝（６）、（７）に入り込んでいる。このピン（８）はスライダ（５）をその軸方向へ案内するとともに回転するのを阻止し、更に、軸方向への抜け止めと落下防止を図るものである。スライダ（５）は、ピン（８）と溝（６）との間に収納された押しバネ（９）によって、常時リール（１）の基部側へ付勢されている。そして、スライダ（５）は、その基部がフランジ（２）に当接することにより、また、ピン（８）の頭（８ａ）に溝（７）が当接することにより位置が保持される。（  ）内数字は、同公報、図１の符号を記載する。
【０００４】
上記した従来の構造で、スライダの外周面に巻かれたロール紙ＲＰを抜き取る場合、ロール紙ＲＰと一緒にスライダがリールの斜面を滑って移動することで、スライダの外径が縮小し、その結果、ロール紙ＲＰは極めて簡単に抜き取ることができる。
しかしながら、上記した従来の構造では、次のような欠点がある。即ち、ロール紙ＲＰは、スライダの外周面に直接巻かれるために、ロール紙ＲＰの種類（紙質）が異なった場合に、ロール紙ＲＰとスライダとの間の摩擦力が一定でなく変化してしまう。その結果、スライダは常に一定な滑り（移動）ができず、作業性が悪くなると言う問題があった。
【発明の開示】
【発明が解決しようとする課題】
【０００５】
本発明は、記録媒体の種類に関係なく、記録媒体の抜き取り動作を常に一定とすることができる記録媒体巻取り装置及びこれを用いたプリンタを提供することを目的とする。
【課題を解決するための手段】
【０００６】
上記目的を達成するために、本発明における記録媒体巻取り装置は、長尺な記録媒体を巻き取る巻取り軸を有する記録媒体巻取り装置において、前記巻取り軸は、前記記録媒体を巻き取る際に、前記巻取り軸の一部として作用することで、前記記録媒体を支持して巻き取る第１の位置と、前記記録媒体を支持しないで前記巻取り軸から前記記録媒体を抜き
取ることを容易にする第２の位置との間を移動自在な記録媒体可動受け部を有し、該記録媒体可動受け部は、前記第１の位置から前記第２の位置へ移動する際に、前記巻取り軸に直交する方向にのみ移動することを特徴とするものである。
【０００７】
また、前記巻取り軸は、前記移動可能な記録媒体可動受け部と、前記巻取り軸に固定され、前記記録媒体を巻き取る記録媒体固定受け部とで構成され、前記記録媒体可動受け部と前記記録媒体固定受け部との間に、前記記録媒体を挿入する隙間を設けて配置したことを特徴とするものである。
【０００８】
また、前記記録媒体可動受け部と係合し、前記巻取り軸の軸方向であって巻取り軸から離れる離間方向と反対の方向に付勢され、前記記録媒体可動受け部が前記第１の位置から第２の位置へ移動したときに、前記離間方向ヘ移動自在な係合部材を備えたことを特徴とするものである。
【０００９】
また、前記記録媒体可動受け部は、前記係合部材に形成された斜面に係合することを特徴とするものである。
【００１０】
また、前記係合部材は、前記巻取り軸内に挿嵌することを特徴とするものである。
【００１１】
また、前記巻取り軸は、その一端に記録媒体の側面を当接させる円板状のフランジを一体的に固定したことを特徴とするものである。
【００１２】
また、本発明における記録媒体巻取り装置を用いたプリンタは、前記記録媒体巻取り装置と、前記記録媒体に印刷を行う印刷手段と、前記印刷手段により印刷された前記記録媒体を送る記録媒体送り手段とを備えたことを特徴とするものである。
【発明の効果】
【００１３】
本発明の記録媒体巻取り装置は、記録媒体可動受け部を巻き取り軸の軸方向に直交する方向へのみ移動可能としたことで、記録媒体の種類に関係なく、記録媒体の抜き取り動作を常に一定とすることができるため、安定した操作ができるといった効果を有する。
【発明を実施するための最良の形態】
【００１４】
本発明の記録媒体巻取り装置およびこれを用いたプリンタは、長尺の記録媒体を巻取り軸に巻き取った状態で、巻取り軸を構成する記録媒体可動受け部の自由端の先端部相当位置を軸方向に直交する方向に押圧すると、係合部材の係合部斜面が押されて係合部材はバネの付勢力に抗して巻取り軸から後退し、記録媒体可動受け部の先端部近傍で記録媒体との間に隙間を生じ、記録媒体可動受け部が傾斜する。この構成により、記録媒体を巻取り軸から容易に抜き取ることができる。また、このような記録媒体巻取り装置を用いたプリンタを提供することが可能である。
【実施例】
【００１５】
図１〜図８は、本発明の実施例に係わり、図１は、本発明のプリンタの全体構成を示す後部斜視図、図２は、図１のプリンタの外装ケースを除去した状態の要部を示す側面図、図３〜図８は、図１のプリンタに装着された記録媒体巻取り装置を示し、図３は記録媒体巻取り装置の展開斜視図、図４は記録媒体巻取り装置の斜視図、図５は記録媒体を巻き取る第１の位置を示す記録媒体巻取り装置の断面図、図６は記録媒体巻取り装置の動作を説明する側面図、図７は図３の係合部材の斜視図、図８は図３のストッパーの斜視図である。
【００１６】
図１〜図２において、本実施例のプリンタ１は、キャッシュレジスタ等に組み込まれる
ドットインパクトプリンタで、図示しないインクリボンカセットが着脱可能なプリンタ本体２と、前記インクリボンカセットの先端部に位置した印字ヘッド３を搭載するキャリッジを記録媒体であるロール状の記録紙４の幅方向に往復移動させる印字機構と、記録紙送り用モータ５の駆動力により、印字ヘッド３による印字位置にロール軸６に装填された２枚重ねの前記記録紙４が紙送りガイド８に案内されて、紙送りローラ７により、プラテン９と記録紙４を圧接して送るための紙送り機構と、紙送り機構の上部に配置された記録紙４（顧客用）を切断するためのカッター１０を備えたオートカッター機構と、プリンタ本体２の後方に設けられて、記録紙巻取り用モータ１１の駆動力により記録紙４（店舗用）を巻き取る装置記録媒体巻取り装置２０とから構成される。後述する巻取り軸２１は、プリンタ本体２の後方に固定された支持板１２に回転自在の状態で支持される
【００１７】
図２において、前記プリンタ１の動作について説明する。前記ロール状の記録紙４は、顧客へのレシート用と店舗の保管用との２枚重ねの複写可能な感熱紙などで、所定の幅を有し、ロール軸６に装填されている。記録紙送り用モータ５の駆動力で矢印Ａ方向に回転し、記録紙４は矢印Ｂ方向に送り出される。図中、紙経路１３は点線で示す。送り出された記録紙４は、紙送りガイド８により案内されて、記録紙送り用モータ５に連結している紙送りローラ７により印字位置に誘導される。
【００１８】
前記紙経路１３を通って印字位置に到達した時点で、記録紙４に所定の事項、例えば、日時、品名、金額、店舗名、レジ担当者等が印字ヘッド３等の印字機構で印字された後、顧客用の１枚の記録紙４は上部レシート排出口１４より矢印Ｃ方向へ排出される。その後、記録紙４は、カッター１０を備えたオートカッター機構で切断されて顧客に手渡される。
【００１９】
上記したように、印字されたもう１枚の店舗保管用の記録紙４は、記録紙巻取り用モータ１１の駆動力で回転駆動させる歯車群１１ａにより、後述する記録媒体巻取り装置２０の巻取り軸２１を矢印Ｄ方向に回転させて、前記記録紙４を矢印Ｅ方向に送り巻き取るものである。
【００２０】
図３〜図８において、記録媒体巻取り装置について説明する。本実施例の記録媒体巻取り装置２０は、図３に示すように、記録紙４を巻き取る巻取り軸２１と、該巻取り軸２１に係合し軸方向に挿嵌された係合部材２２と、該係合部材２２を巻取り軸２１から離れる離間方向（図中の右側方向）と反対の方向（図中の左側方向）に付勢するコイルバネ２３を内蔵するストッパ−２４とで構成される。
【００２１】
図４〜図６に示すように、前記巻取り軸２１は、片持ちで軸方向に直交する上下方向へのみ移動可能にした記録媒体可動受け部２１ａと、巻取り軸２１に固定され、記録紙４を巻き取る記録媒体固定受け部２１ｂとで構成され、その一端に記録紙４の側面を当接させる円板状のフランジ２１ｃが一体的に固定されている。前記記録媒体可動受け部２１ａと、前記記録媒体固定受け部２１ｂとの間に、前記記録紙４の先端部を挿入する隙間（スリット）２１ｄが設けられている。上記したように、記録媒体可動受け部２１ａは片持ち支持され、記録紙４を巻き取る際に、前記巻取り軸２１の一部として作用し、前記記録紙４を支持して巻き取る第１の位置Ｐ１（図４、図５及び図６参照）と、前記記録紙４を支持しないで前記巻取り軸２１から前記記録紙４を抜き取ることを容易にする第２の位置Ｐ２（図６参照）との間を移動する。なお、前記記録媒体固定受け部２１ｂで前記係合部材２２が挿嵌される先端側には、前記スリット２１ｄ面より１段下がって、後述する係合部材２２の水平壁２２ｄが収まる段部２１ｋ（図３及び図６参照）が形成されている。
【００２２】
前記記録媒体可動受け部２１ａには、軸方向先端部の内側に後述する係合部材２２の係合斜面部２２ａに当接する当接部２１ｅと、軸方向略中央部の内壁に、スリット２１ｄを
挟んで対向する記録媒体固定受け部２１ｂの平面に当接して記録媒体可動受け部２１の移動を規制する凸部２１ｆ（図５参照）が突設されている。また、前記記録媒体固定受け部２１bの先端部近傍の所定の対向する位置に後述するストッパー２４の係止爪２４ｂが係止する係止穴２１ｇが一対形成されている。更に、前記記録媒体固定受け部２１bには、後述する係合部材２２が巻取り軸２１内に挿嵌された際に、係合部材２２の先端部が当接して、入り込む深さを規制する壁２１ｈが形成されている。また、記録媒体固定受け部２１ｂには軸方向に、軸の先端部２１ｉから略中央部に至る割溝２１ｊ（図３参照）が形成されていて、この割溝２１ｊは、後述する係合部材２２の垂直壁２２ｃを案内する機能を有している。
【００２３】
前記係合部材２２は、図７に示すように、軸方向の先端頭部の一部に、前記記録媒体可動受け部２１ａの当接部２１ｅと当接する係合斜面部２２ａを有し、先端頭部の中心部に前記コイルバネ２３の一端を嵌合するガイド軸２２ｂと、該ガイド軸２２ｂに連通する垂直壁２２ｃが形成されている。また、先端頭部の入り口には後述するストッパー２４の一部を収納する収納穴２２ｅが形成されている。
【００２４】
前記ストッパー２４は、図８に示すように、軸部に前記コイルバネ２３を収納する収納部２４ａが形成され、その軸部を２分するように、軸方向に割り溝２４ｂが形成されいる。また、先端部には前述した記録媒体固定受け部２１ｂに形成された係止穴２１ｇに係止される一対の係止爪２４ｃが突設されている。前記ストッパー２４を前記係合部材２２に組込む際に、前記割り溝２４ｂは、前記係合部材２２に形成された垂直壁２２ｃに案内されて挿入されると同時に、弾性を有するので、係止爪２４ｃは、前述した記録媒体固定受け部２１ｂに形成された係止穴２１ｇに節度良く係止される。
【００２５】
以上述べた構成の記録媒体巻取り装置の作用・効果について説明する。図４及び図５は記録紙４を巻き取る時の巻取り軸２１の状態を示している。ストッパー２４にコイルバネ２３を収納した状態で係合部材２２に組み込み、この状態で係合部材２２は巻取り軸２１に嵌合されている。このとき、コイルバネ２３の付勢力は矢印Ｆ方向（図６参照）に作用した状態である。記録媒体可動受け部２１ａは、先端部の当接部２１ｅが係合部材２２の係合斜面部２２ａに当接し、記録紙４を巻き取る第１の位置Ｐ１（図６の点線）の状態になる。
【００２６】
前記巻き取られた記録紙４を巻取り軸２１から抜き取るには、巻取り軸２１を構成する記録媒体可動受け部２１ａの自由端の先端部相当位置を軸方向に直交する方向、即ち、矢印Ｇ方向に押圧すると、係合部材２２の係合斜面部２２ａが押されて係合部材２２はコイルバネ２３の付勢力に抗して巻取り軸２１から矢印Ｈ方向に後退して、前記記録媒体可動受け部２１ａが記録紙４を巻き取る第２の位置Ｐ２（図６の実線）に移動する。従って、記録媒体可動受け部２１ａの自由端の先端部は記録媒体固定受け部２１ｂ側へ変位することで、記録媒体可動受け部２１ａと記録紙４との間には隙間ｔが生じる。この結果、記録媒体可動受け部２１ａは斜面になり、この状態で記録紙４を容易に抜き取ることができる。記録紙４を巻取り軸２１から抜き取った後、コイルバネ２３の付勢力により、記録媒体可動受け部２１ａは当初の第１の位置Ｐ１に復帰する。
【００２７】
以上説明したように、本発明は、記録紙４を軸方向にスライドする係合部材２２に直接接触させずに、巻取り軸２１を構成する記録媒体可動受け部２１ａに巻くようにしたので、軸方向にスライドする係合部材２２は、記録紙４の紙質に影響されることなく容易に動作することができる。また、このような記録媒体巻取り装置２０を備えたプリンタ１を提供することが可能である。
【図面の簡単な説明】
【００２８】
【図１】本発明のプリンタの全体構成を示す後部斜視図である。
【図２】図１のプリンタの外装ケースを除去した状態の要部を示す側面図である。
【図３】図１のプリンタに装着された記録媒体巻取り装置の展開斜視図である。
【図４】図３の記録媒体巻取り装置の斜視図である。
【図５】記録紙を巻き取る第１の位置を示す記録媒体巻取り装置の断面図である。
【図６】記録媒体巻取り装置の動作を説明する側面図である。
【図７】図３の係合部材の斜視図である。
【図８】図３のストッパーの斜視図である。
【符号の説明】
【００２９】
１  プリンタ
２  プリンタ本体
３  印字ヘッド
４  記録紙
５  記録紙送り用モータ
９  プラテン
１０  カッター
１１  巻取り軸用モーター
２０  記録媒体巻取り装置
２１  巻取り軸
２１ａ  記録媒体可動受け部
２１ｂ  記録媒体固定受け部
２１ｃ  フランジ
２１ｄ  スリット
２１ｅ  係合部
２１ｉ  係止穴
２２  係合部材
２２ａ  係合斜面部
２２ｂ  ガイド軸
２３  コイルバネ
２４  ストッパー
２４ｃ  係止爪
Ｐ１  第１の位置
Ｐ２  第２の位置
ｔ  隙間
【図１】
2005343649.tif 000003
【図２】
2005343649.tif 000004
【図３】
2005343649.tif 000005
【図４】
2005343649.tif 000006
【図５】
2005343649.tif 000007
【図６】
2005343649.tif 000008
【図７】
2005343649.tif 000009
【図８】
2005343649.tif 000010